(57)【特許請求の範囲】
【請求項１】
合流式下水道の幹線管路の途中に設けられた特殊人孔の構造であって、上記特殊人孔内に、降雨量、降雨時に幹線管路を流れる下水の流量もしくは水位の何れかを指標として開閉制御する扉体を有する流量制御手段を設け、流量制御手段が特殊人孔の底部に当接する扉体の縁部に小開口を有し、かつ幹線管路を流れる下水の流量もしくは水位の何れかが設定量未満の場合に扉体を閉じて扉体を堰として扉体の上流側の幹線管路に貯留域を形成し、扉体を閉じた状態で下水を小開口から扉体の下流側へ流すことを特徴とする合流式下水道の特殊人孔の構造。
【請求項２】
流量制御手段は、幹線管路を流れる下水の流量もしくは水位の何れかが設定量以上に増加した場合に扉体を開くことを特徴とする請求項１に記載の合流式下水道の特殊人孔の構造。
【請求項３】
扉体に、小開口を流れる流水の流量を調整する小扉体が設けられていることを特徴とする請求項１に記載の合流式下水道の特殊人孔の構造。
【請求項４】
特殊人孔の側壁面に、流水を扉体の上流面側へ向けて案内するガイド板を設けたことを特徴とする請求項１から請求項３のいずれかに記載の合流式下水道の特殊人孔の構造。
【請求項５】
特殊人孔に出入り用の人孔が形成され、扉体は上記人孔を通過可能な形状の複数のブロックの集合体からなり、上記各ブロック同士が着脱自在に連結されていることを特徴とする請求項１から請求項４のいずれかに記載の合流式下水道の特殊人孔の構造。
【請求項６】
流量制御手段はフラップゲートからなり、扉体に浮力を与える浮体を設けたことを特徴とする請求項１から請求項５のいずれかに記載の合流式下水道の特殊人孔の構造。
【請求項７】
特殊人孔内に、扉体を開方向へ付勢するカウンターウェイトと、このカウンターウェイトの付勢力に抗して扉体を開閉させるシリンダ装置とが設けられ、上記カウンターウェイトは、流水の流れを阻害しない位置に設けられていることを特徴とする請求項１から請求項６のいずれかに記載の合流式下水道の特殊人孔の構造。
【請求項８】
扉体は特殊人孔の上流側に開口した流入口と下流側に開口した排出口との間の中央部に配置されていることを特徴とする請求項１から請求項７のいずれかに記載の合流式下水道の特殊人孔の構造。
【発明の詳細な説明】
【０００１】
【発明の属する技術分野】
本発明は、生活排水等の汚水と雨水とが合流して流れる合流式下水道の幹線管路の途中に設けられた特殊人孔の構造に関する。
【０００２】
【従来の技術】
従来、合流式下水道の幹線管路においては、晴天時には、生活排水等の汚水が流れて下水処理場へ送られている。また、雨天時においては、上記生活排水に雨水が合流し、下水処理場へ送られる。この際、流れ込んだ雨水によって増量した下水が幹線管路を流れてそのまま一気に下水処理場へ送水されると、下水処理場の処理能力を超えてしまうため、上記下水を処理せずにそのまま公共水域（河川や海等）へ排出していた。このように、未処理のまま下水を公共水域へ排出すると、公共水域の水質が未処理の下水によって汚濁する恐れがあった。
【０００３】
上記のような問題点の対策として、別途、滞水池や貯留管等を設け、降雨によって増量した下水を一時的に上記滞水池や貯留管に貯留し、徐々に滞水池や貯留管から下水処理場へ送水して処理している。
【０００４】
【発明が解決しようとする課題】
しかしながら上記従来形式では、近年、上記のような滞水池や貯留管といった一時貯留のための特別な施設の建設には膨大な費用を要し、また、建設用地の確保も困難であるといった問題がある。
【０００５】
本発明は、滞水池や貯留管といった特別な貯留施設を別途設けることを不要にし得る（或いは貯留施設の数を低減し得る）合流式下水道の特殊人孔の構造を提供することを目的とする。
【０００６】
【課題を解決するための手段】
上記目的を達成するために本第１発明では、合流式下水道の幹線管路の途中に設けられた特殊人孔の構造であって、上記特殊人孔内に、降雨量、降雨時に幹線管路を流れる下水の流量もしくは水位の何れかを指標として開閉制御する扉体を有する流量制御手段を設け、流量制御手段が特殊人孔の底部に当接する扉体の縁部に小開口を有し、かつ幹線管路を流れる下水の流量もしくは水位の何れかが設定量未満の場合に扉体を閉じて扉体を堰として扉体の上流側の幹線管路に貯留域を形成し、扉体を閉じた状態で下水を小開口から扉体の下流側へ流すものである。
【０００７】
これによると、降雨量や降雨時に幹線管路を流れる下水の流量もしくは水位の何れかが設定量未満の場合、扉体を閉じる。これにより、扉体が堰の役割を果たして、扉体の上流側の幹線管路に貯留域が形成され、この貯留域に下水（すなわち生活排水や雨水）が一時貯留される。したがって、小雨時等において、下水が増量しても、上記貯留域に一時貯留されるため、従来のような特別な貯留施設を別途設ける必要はない。
下水は閉じた扉体の上流側の貯留域から小開口を通って扉体の下流側へ流れる。これにより、扉体を閉じた状態で、処理可能な量の下水を小開口から下水処理場へ送水することができる。
【０００８】
本第２発明では、豪雨等によって、降雨量や降雨時に幹線管路を流れる下水の流量もしくは水位の何れかが設定量以上に増加した場合、扉体を開く。これにより、上記貯留域に貯留されていた下水が扉体の上流側から下流側へ流れるため、扉体の上流側の生活施設が浸水するのを防止することができる。
【００１０】
本第３発明では、扉体に、小開口を流れる流水の流量を調整する小扉体が設けられているものである。
これによると、下水処理場の処理能力等に応じて、小開口を流れる下水の流量を調整することができる。
【００１１】
本第４発明では、特殊人孔の側壁面に、流水を扉体の上流面側へ向けて案内するガイド板を設けたものである。
これによると、幹線管路から特殊人孔へ流れ込んだ下水はガイド板によって扉体の上流面側へ向けて案内されるため、扉体のサイズを小型化することができる。
【００１２】
本第５発明では、特殊人孔に出入り用の人孔が形成され、扉体は上記人孔を通過可能な形状の複数のブロックの集合体からなり、上記各ブロック同士が着脱自在に連結されているものである。
【００１３】
これによると、扉体を複数のブロックに分割し、各ブロックを人孔から特殊人孔内に搬入し、各ブロック同士を連結することにより、特殊人孔内で扉体を組立てることができる。
【００１４】
本第６発明では、流量制御手段はフラップゲートからなり、扉体に浮力を与える浮体を設けたものである。
これによると、浮体の浮力を扉体の開方向へ働くようにすることで、扉体の開動作に要する駆動力が減少する。
【００１５】
本第７発明では、特殊人孔内に、扉体を開方向へ付勢するカウンターウェイトと、このカウンターウェイトの付勢力に抗して扉体を開閉させるシリンダ装置とが設けられ、上記カウンターウェイトは、流水の流れを阻害しない位置に設けられているものである。
【００１６】
これによると、シリンダ装置のピストンロッドを出退させることにより、扉体が開閉する。この際、停電や故障等で扉体を開くことができない場合、ピストンロッドの出退をフリーな状態にすることによって、扉体がカウンターウェイトの付勢力により緊急に開かれる。
【００１７】
また、カウンターウェイトは下水の流れを阻害しないため、下水はスムーズに特殊人孔内を流れる。
本第８発明では、扉体は特殊人孔の上流側に開口した流入口と下流側に開口した排出口との間の中央部に配置されているものである。
【００１８】
これによると、上記のような配置によって、流入口から閉位置の扉体の上方を越えて排出口へ連通する流通空間が形成される。したがって、万一、故障等によって扉体を開くことができない場合でも、下水は流入口から流通空間を通り扉体からオーバーフローして排出口へ流れるため、特殊人孔の上流側の幹線管路内の下水が地上へ溢れ出すのを防止することができる。
【００１９】
【発明の実施の形態】
以下、本発明における実施の形態を図面に基づいて説明する。
図１，図５，図６に示すように、１は地中に形成された合流式下水道の幹線管路であり、この幹線管路１の途中には竪坑式の特殊人孔２が形成されている。この特殊人孔２はコンクリート製の地下構造物３によって形成され、上部には、地上に連通する出入り用の人孔４（マンホール）が形成されている。また、地下構造物３の上流側の壁３ａには流入口５が形成され、下流側の壁３ｂには排出口６が形成されている。この排出口６の下流には下水処理場（図示省略）が設置されている。また、地下構造物３のインバート３ｃ（底部）には、水路７の左右両側部に位置する側部底面３ｄと、上記水路７の底面であり且つ側部底面３ｄよりも一段低い中央部底面３ｅとが形成されている。
【００２０】
特殊人孔２内には、開閉自在な扉体８とこの扉体８を開閉させる油圧シリンダ装置１５とを有するフラップゲート９（流量制御手段の一例）が設置されている。すなわち、上記扉体８は特殊人孔２の左右方向（幅方向）に設けられた支軸１０に取付けられている。図７，図８に示すように、この支軸１０は、左右方向の軸心１１回りに回動自在であり、その両端が軸受け１２によって支持されている。上記両軸受け１２は軸受台１３に設けられ、これら軸受台１３は複数の支持フレーム１４によって特殊人孔２内に支持され固定されている。
【００２１】
上記のようなフラップゲート９の詳細な構成を以下に説明する。
図９に示すように、上記扉体８は正面視において中央部が左右両側部よりも下方へ突出した形状を有している。扉体８の中央部の下縁部には、四角形の小開口１７が形成されている。また、扉体８は、左右方向において分割可能な複数のブロック１８の集合体から構成されている。図１０，図１１に示すように、各ブロック１８は、背面側に開口部１９を有する縦長の四角形の箱体２０と、上記開口部１９を閉じる蓋板２１とで構成されている。蓋板２１は、複数のボルト２２と箱体２０に溶接された複数のナット２３とによって、着脱自在に箱体２０に取付けられる。また、各ブロック１８同士はそれぞれ複数のボルト２４，ナット２５によって着脱自在に連結されている。さらに、各ブロック１８は、複数のボルト２６，ナット２７によって、支軸１０に設けられた取付用ブラケット２８に着脱自在に連結されている。尚、上記ナット２７は取付用ブラケット２８に溶接されている。
【００２２】
さらに、互いに隣接したブロック１８の正面側には、両ブロック１８の接合部に亘って接合板６９が当て付けられ、各接合板６９はボルト７０とナット７１を介して着脱自在にブロック１８に連結されている。
【００２３】
上記各ブロック１８は人孔４を通過可能なサイズに形成されている。また、各ブロック１８の内部には、扉体８に浮力を与える発泡スチロール３０（浮体の一例）が挿入されている。尚、図１に示すように、扉体８は、特殊人孔２の流入口５と排出口６との前後間のほぼ中央部に位置している。
【００２４】
図５，図９，図１２に示すように、上記扉体８には、小開口１７を流れる下水Ｗの流量を調整する小扉体３２が複数のボルト３３，ナット３４を介して取付けられている。このうち、上記ボルト３３は、小開口１７の天井部に左右一対溶接等で取付け固定されて下方へ垂下しており、小扉体３２の上板部３２ａのボルト孔に挿通されている。上記ナット３４は、ボルト３３に螺合され、小扉体３２の上板部３２ａを上下両方から挟むようにして保持している。これらナット３４を回すことによって、小扉体３２が閉位置Ｓの扉体８に対して上下移動する。尚、上記小扉体３２は、扉体８と同様に、箱体２０と蓋板２１とで構成されており、内部に発泡スチロール３０を備えている。また、図１３に示すように、小扉体３２と扉体８には、ガイド溝３５と、このガイド溝３５に差し込まれたガイド体３６とが設けられており、小扉体３２はガイド溝３５とガイド体３６とによって上下方向へ案内される。
【００２５】
図１，図６に示すように、上記油圧シリンダ装置１５は、取付台３７を介して、地下構造物３の上流側の壁３ａに取付けられている。油圧シリンダ装置１５のピストンロッド３８の先端は、支軸１０の一端部に設けられたクランクアーム３９に連結されている。図１，図２に示すように、ピストンロッド３８を突出させることにより、支軸１０と共に扉体８が閉位置Ｓまで回動してほぼ下向き姿勢となり、図３，図４に示すように、ピストンロッド３８を退入させることにより、支軸１０と共に扉体８が全開位置Ｏまで回動してほぼ水平姿勢となる。
【００２６】
上記油圧シリンダ装置１５を作動させる油圧回路（図示省略）には、作動油を油圧シリンダ装置１５へ供給する油圧ポンプ（図示省略）と、図１４に示すように作動油の供給を油圧シリンダ装置１５のテール側とロッド側とに切換えさらにはピストンロッド３８の出退をフリーに切換える制御弁６３とが設けられている。また、特殊人孔２の上流側の幹線管路１には、幹線管路１内を流れる下水Ｗの水位を検出する水位検出計６４が設けられている。この水位検出計６４で検出された水位に基づいて上記制御弁６３を切換える制御装置６５が備えられている。
【００２７】
また、図１〜図６に示すように、支軸１０には、扉体８を開方向へ付勢するカウンターウェイト４１がリンク機構４２を介して取付けられている。上記リンク機構４２は、支軸１０の両端部に設けられた左右一対の下部リンクアーム４３と、両下部リンクアーム４３の上方に設けられた左右一対の上部リンクアーム４４と、これらアーム４３，４４の遊端部間に連結された左右一対の縦杆材４５とで構成されている。尚、上記上部リンクアーム４４は、取付台４６を介して地下構造物３の左右両側壁３ｆに、上下揺動自在に取付けられている。また、上記カウンターウェイト４１は、両縦杆材４５の上端部間に設けられており、幹線管路１よりも高い位置に設定されている。
【００２８】
また、扉体８の下縁部と左右両側縁部とは、閉位置Ｓにおいて、シール材でそれぞれ水密にシールされる。すなわち、図５，図１２に示すように、上記扉体８の上流面（正面）側の中央下部には、平板状の中央下部止水ゴム４８（シール材の一例）が押え板４９で押えられて取付けられている。また、図２，図５，図１２に示すように、インバート３ｃの左右の側部底面３ｄと水路７の両側面とにはそれぞれ、く形状に屈曲した側下部止水ゴム５０（シール材の一例）が押え板５１で押えられて取付けられている。さらに、図５，図１６に示すように、左右両側壁３ｆの下部には取付台５２が設けられており、これら両取付台５２の先端部には、く形状に屈曲した側部止水ゴム５３（シール材の一例）が押え板５４で押えられて取付けられている。上記扉体８が閉位置Ｓまで回動した場合、図１２に示すように、上記中央下部止水ゴム４８がインバート３ｃの中央部底面３ｅに当接するとともに、図１５に示すように、上記扉体８の上流面（正面）の側下部が上記側下部止水ゴム５０に当接し、さらに、図１６に示すように、扉体８の上流面（正面）の左右両側部が上記側部止水ゴム５３に当接する。
【００２９】
図６，図１６に示すように、地下構造物３の左右両側壁３ｆには、流入口５から流れ込んだ下水を閉位置Ｓの扉体８の上流面側へ向けて案内するガイド板５６が設けられている。すなわち、両ガイド板５６はそれぞれ、上流側から下流側に亘って傾斜しており、上流側端部が側壁３ｆに据付けられ、下流側端部が上記取付台５２に据付けられている。これにより、両ガイド板５６の左右間隔は下流側ほど次第に縮小する。
【００３０】
また、図４，図６に示すように、左右両側壁３ｆに設けられた取付ブラケット５７には、扉体８の開方向への回動を全開位置Ｏで規制するストッパー５８が取付けられている。これら両ストッパー５８はゴム等の弾性体で形成されている。
【００３１】
また、図７，図８に示すように、上記両軸受台１３にはそれぞれ、軸受け１２の上流側の止水を行う止水カバー５９が設けられている。これら両止水カバー５９の先端部には、支軸１０の両端部の外周面の上流側に当接する止水ゴム６０が押え板６１で押えられて取付けられている。尚、上記軸受け１２と軸受台１３、および、軸受台１３と支持フレーム１４、および、支持フレーム１４と地下構造物３はそれぞれ、ボルト，ナット（図示省略）等を介して着脱自在に連結されている。
【００３２】
以下、上記構成における作用を説明する。
晴天時の場合は、水位検出計６４によって検出される水位が設定水位未満となり、制御装置６５が制御弁６３を切換えて油圧シリンダ装置１５のテール側に作動油を供給し、ピストンロッド３８が突出して、図１，図２に示すように、扉体８が閉位置Ｓまで回動する。これにより、扉体８が堰の役割を果たして、扉体８の上流側の幹線管路１に貯留域Ａが形成される。この際、図１の実線で示すように、下水Ｗは、上流側の幹線管路１から特殊人孔２の水路７を流れ、上記扉体８の小開口１７を通って下流側の排出口６へ流れる。
【００３３】
また、小雨時の場合、下水Ｗが増量しても、水位検出計６４によって検出される水位が設定水位未満であれば、下水Ｗは図１の仮想線で示すように上記貯留域Ａに一時貯留されるため、従来のような特別な貯留施設を別途設ける必要はない（或いは貯留施設の数を低減することができる）。
【００３４】
この際、下水Ｗは上記貯留域Ａから扉体８の小開口１７を通って下流側の排出口６へ流れる。これにより、扉体８を閉じた状態で、処理可能な量の下水Ｗを小開口１７から下水処理場へ送水することができる。
【００３５】
また、上記のように扉体８を閉じた場合、図１２に示すように中央下部止水ゴム４８がインバート３ｃの中央部底面３ｅに当接するとともに、図１５に示すように扉体８の上流面の側下部が側下部止水ゴム５０に当接し、さらに、図１６に示すように扉体８の上流面の左右両側部が側部止水ゴム５３に当接するため、扉体８の下縁部と各底面３ｄ，３ｅとの隙間、並びに、扉体８の側縁部と取付台５２との隙間がシールされる。したがって、貯留域Ａの下水Ｗがこれら隙間を通って扉体８の下流側へ流出するのを防止することができ、上記小開口１７以外から下水Ｗが勝手に下流側へ流出することを防ぐことができる。
【００３６】
また、図１６に示すように、流入口５から特殊人孔２へ流れ込んだ下水Ｗは両ガイド板５６によって扉体８の上流面側へ向けて案内され、この際、両ガイド板５６の下流側ほど下水Ｗの流れが左右方向において絞られる。これにより、扉体８の左右方向のサイズを小型化することができ、さらに、下水Ｗが両ガイド板５６によって整流されて円滑に流れる。
【００３７】
また、豪雨等によって、水位検出計６４で検出された水位が設定水位以上に増加した場合、制御装置６５は制御弁６３を切換えて油圧シリンダ装置１５のロッド側に作動油を供給し、ピストンロッド３８が退入して、図３，図４に示すように、扉体８が閉位置Ｓから全開位置Ｏまで回動する。これにより、上記貯留域Ａに貯留されていた下水Ｗが扉体８の上流側から下流側へ流れるため、扉体８の上流側の生活施設が浸水するのを防止することができる。
【００３８】
また、上記のように扉体８を閉位置Ｓから全開位置Ｏまで回動させる際、発泡スチロール３０によって生じた浮力が扉体８の開方向へ働くため、扉体８の開動作に要する駆動力が減少し、これにともなって、油圧シリンダ装置１５の容量を小さくして小型化を図ることができる。
【００３９】
また、扉体８を閉じた状態で、万一、停電や故障等により油圧ポンプ等が停止して油圧シリンダ装置１５が作動不能となり、扉体８を開くことができない異常事態に陥った場合であっても、制御弁６３によってピストンロッド３８の出退をフリーな状態に切換えることにより、図３に示すように、扉体８がカウンターウェイト４１の付勢力によって緊急に開かれる。この際、扉体８はストッパー５８に当接することで全開位置Ｏに規制される。したがって、豪雨等によって下水Ｗの流量が増加している時に上記のような異常事態に陥っても、扉体８の上流側の生活施設が浸水するのを防止することができる。さらに、発泡スチロール３０によって生じた浮力が扉体８の開方向へ働くため、カウンターウェイト４１の重量を減らして小型軽量化を図ることができる。
【００４０】
また、カウンターウェイト４１は幹線管路１よりも高い位置に設定されているため、カウンターウェイト４１によって下水Ｗの流れが阻害されることはなく、スムーズに特殊人孔２内を流れる。
【００４１】
また、図１に示すように、扉体８を流入口５と排出口６との前後間のほぼ中央部に配置したことによって、流入口５から閉位置Ｓの扉体８の上方を越えて排出口６へ連通する流通空間Ｂ（点線矢印部分）が形成される。したがって、万一、故障等によって扉体８を開くことができない場合でも、下水Ｗは流入口５から流通空間Ｂを通り扉体８からオーバーフローして排出口６へ流れるため、特殊人孔２の上流側の幹線管路１内の下水Ｗが地上へ溢れ出すのを防止することができる。
【００４２】
また、上記のようなフラップゲート９を特殊人孔２内に設置する場合、図１１に示すように各ボルト２２，２４，２６，７０とナット２５，７１と接合板６９とを取外して、図９（ｂ）に示すように扉体８を個々のブロック１８に分割するとともに、各箱体２０から蓋板２１を取外し、この状態で、個々のブロック１８を地上から人孔４を通して特殊人孔２内に搬入する。そして、特殊人孔２内で、各ボルト２２，２４，２６，７０とナット２５，７１と接合板６９とを取付けて、各箱体２０に蓋板２１を取付けるとともに各ブロック１８同士を連結することにより、扉体８を組立てることができる。尚、上記各ボルト２４，２６とナット２５，７１との着脱は開口部１９を通して行う。
【００４３】
さらに、支軸１０と軸受け１２と軸受台１３と支持フレーム１４といった各部材をそれぞれ個別に地上から人孔４を通して特殊人孔２内に搬入し、特殊人孔２内で上記各部材同士をボルト，ナット（図示省略）等で連結してフラップゲート９を組立てる。
【００４４】
尚、上記のようにしてフラップゲート９を組立てて据付ける際、図１２に示すように、ナット３４を回して、小扉体３２を扉体８に対して上下移動させることにより、小扉体３２の下方の開口面積を増減することができる。これにより、下水処理場の処理能力等に応じて、小開口１７（すなわち小扉体３２の下方）を流れる下水Ｗの流量を調整することができる。
【００４５】
上記実施の形態では、浮体の一例として発泡スチロール３０を用いたが、木片等を用いてもよい。また、各ブロック１８内に水密な空洞部を形成して、扉体８に浮力を与えてもよい。
【００４６】
上記実施の形態では、流量制御手段の一例としてフラップゲート９を挙げたが、フラップゲート９に限定されるものではなく、可動堰、制水扉、起伏ゲート等であってもよい。
【００４７】
上記実施の形態では、異常等の発生により、制御弁６３によってピストンロッド３８の出退をフリーな状態に切換えた場合、扉体８がカウンターウェイト４１の付勢力によって開かれるように構成されているが、カウンターウェイト４１の代わりにアキュムレーターを設け、アキュムレーターから油圧シリンダ装置１５へ作動油を供給して、ピストンロッド３８を強制的に退入させ、扉体８を開けるように構成してもよい。
【００４８】
上記実施の形態では、油圧シリンダ装置１５を用いて扉体８を開閉しているが、エアシリンダ装置を用いてもよい。また、上記扉体８の開閉を１台の油圧シリンダ装置１５で行っているが、２台の油圧シリンダ装置１５で行ってもよい。この場合、両油圧シリンダ装置１５のピストンロッド３８はそれぞれクランクアーム３９を介して支軸１０の両端部に連結される。
【００４９】
上記実施の形態では、図１２に示すように、ボルト３３とナット３４とを用いて、小扉体３２を閉位置Ｓの扉体８に対して上下移動させているが、上記ボルト３３，ナット３４の代わりにシリンダを用いて小扉体３２を上下移動させてもよい。
【００５０】
上記実施の形態では、図１４の実線に示すように、幹線管路１内を流れる下水Ｗの水位を水位検出計６４で検出し、検出された水位に基づいて扉体８を開閉する制御を行っているが、水位の代わりに下水Ｗの流量を流量計で測定し、測定された流量が設定流量未満である場合、扉体８を閉じ、設定流量以上の場合、扉体８を全開させてもよい。また、上記水位検出計６４の代わりに、図１４の仮想線で示すように、地上に降雨量測定装置６７を設置し、上記降雨量測定装置６７で測定された降雨量が設定降雨量未満である場合、扉体８を閉じ、設定降雨量以上の場合、扉体８を全開させてもよい。さらに、上記のように実際に下水の水位や降雨量を検出するのではなく、天気予報における降雨量の予測データに基づいて、扉体８を開閉してもよい。
【００５１】
【発明の効果】
以上のように本発明によれば、降雨量や降雨時に幹線管路を流れる下水の流量もしくは水位の何れかが設定量未満の場合、扉体を閉じる。これにより、扉体が堰の役割を果たして、扉体の上流側の幹線管路に貯留域が形成され、この貯留域に下水（生活排水や雨水）が一時貯留される。したがって、小雨時等において、下水が増量しても、上記貯留域に一時貯留されるため、従来のような特別な貯留施設を別途設ける必要はない（或いは貯留施設の数を低減することができる）。
【００５２】
また、豪雨等によって、降雨量や降雨時に幹線管路を流れる下水の流量もしくは水位の何れかが設定量以上に増加した場合、扉体を開く。これにより、上記貯留域に貯留されていた下水が扉体の上流側から下流側へ流れるため、扉体の上流側の生活施設が浸水するのを防止することができる。
【図面の簡単な説明】
【図１】本発明の実施の形態における特殊人孔の側面から見た断面図であり、扉体を閉じた状態を示す。
【図２】図１における扉体部分の拡大図である。
【図３】同、特殊人孔の側面から見た断面図であり、扉体を全開した状態を示す。
【図４】図３における扉体部分の拡大図である。
【図５】同、特殊人孔の正面から見た断面図であり、扉体を閉じた状態を示す。
【図６】同、特殊人孔の上方から見た断面図であり、扉体を閉じた状態を示す。
【図７】同、特殊人孔のフラップゲートの軸受け部分の平面図である。
【図８】同、特殊人孔のフラップゲートの軸受け部分の側面図である。
【図９】同、特殊人孔の扉体の正面図であり、（ａ）は組立てた状態、（ｂ）は分解した状態を示す。
【図１０】同、特殊人孔の扉体と支軸との連結部の断面図である。
【図１１】図１０におけるＸ−Ｘ矢視図である。
【図１２】同、特殊人孔の扉体の小開口部分の側面断面図である。
【図１３】図９におけるＸ−Ｘ矢視図である。
【図１４】同、特殊人孔のフラップゲートの制御系のブロック図である。
【図１５】同、特殊人孔の扉体の側下部のシール構造を示す側面図である。
【図１６】同、特殊人孔の扉体の側部のシール構造を示す平面図である。
【符号の説明】
１    幹線管路
２    特殊人孔
３ｆ    側壁
４    人孔
５    流入口
６    排出口
８    扉体
９    フラップゲート（流量制御手段）
１５    シリンダ装置
１７    小開口
１８    ブロック
３０    発泡スチロール（浮体）
３２    小扉体
４１    カウンターウェイト
５６    ガイド板
【図１】
0003979868.tif 000002
【図２】
0003979868.tif 000003
【図３】
0003979868.tif 000004
【図４】
0003979868.tif 000005
【図５】
0003979868.tif 000006
【図６】
0003979868.tif 000007
【図７】
0003979868.tif 000008
【図８】
0003979868.tif 000009
【図９】
0003979868.tif 000010
【図１０】
0003979868.tif 000011
【図１１】
0003979868.tif 000012
【図１２】
0003979868.tif 000013
【図１３】
0003979868.tif 000014
【図１４】
0003979868.tif 000015
【図１５】
0003979868.tif 000016
【図１６】
0003979868.tif 000017